(57)【要約】【課題】患者の身体との接触面積を可及的に低減するとともに、通気性を確保することにより、長期間の使用においても床ずれが生じないようにする。【解決手段】マットレス本体１の表裏両面に、長手方向に連続して並ぶ断面円弧形状の多数の小突条２，２・・および３，３・・を形成するとともに、該表面側小突条２，２・・と裏面側小突条３，３・・とにおける円弧面２ａ，２ａ・・および３ａ，３ａ・・の曲率半径Ｒ１，Ｒ２を異ならしめて、使用中において患者の身体との接触面積が大幅に低減できるようにするとともに、患者の身体とマットレス表面との間に大きな空気層を形成して、通気性を確保することもできるようにし、さらに、表面側小突条２，２・・あるいは裏面側小突条３，３・・を選択して上側とする使用形態をとることにより、季節に合わせた好適な使用形態を選択できるようにしている。【選択図】        図２
2005021368.tif 000002
【特許請求の範囲】
【請求項１】
マットレス本体の表裏両面には、長手方向に連続して並ぶ断面円弧形状の多数の小突条を形成するとともに、該表面側小突条と裏面側小突条とにおける円弧面の曲率半径を異ならしめたことを特徴とする患者用マットレス。
【請求項２】
前記表面側小突条と裏面側小突条とにおける円弧面の曲率中心を長手方向にずらしたことを特徴とする前記請求項１記載の患者用マットレス。
【発明の詳細な説明】
【０００１】
【発明の属する技術分野】
本願発明は、主として、病院等において病人、老人等の介護用のベッドマットもしくは敷布団として使用される患者用マットレスに関するものである。
【０００２】
【従来の技術】
従来から、病院等において病人、老人等の介護用のベッドマットもしくは敷布団として合成樹脂製のマットレスが使用されているが、この種のマットレスにおける表裏面は平坦面とされているのが通例であった。このように平坦面形状のマットレスの場合、長期使用が通例である患者用マットレスとして使用した場合、患者の身体との接触面積が大きいところから、床ずれを起こし易いという不具合があった。また、平坦面形状のマットレスの場合、屈曲変形が難しいところから、床パネルが屈曲変形するタイプのベッド用としての使用が困難となるという不具合もあった。
【０００３】
上記不具合に対処するために、マットレスの表裏面に幅方向に沿う多数のスリットを設けることにより、床パネルの屈曲に応じて長さ方向の適所で屈曲可能とするとともに、表裏面に多数の凸部を形成するようにしたものが提案されている（例えば、特許文献１参照）。
【０００４】
【特許文献１】
実公平５−４８２３号公報（図１および第３頁左欄）。
【０００５】
【発明が解決しようとする課題】
ところが、上記特許文献１に開示されているマットレスの場合、マットレスの表裏面に幅方向に沿う多数のスリットを設けているだけなので、該スリット間に形成される凸部表面が平坦面を構成することとなり、患者の身体との接触面積は、平坦面形状のマットレスの場合とほぼ同等となる。従って、長期間の使用により床ずれを起こし易いという不具合は依然として残る。また、使用中における患者の身体とマットレス表面との間に形成される空気層の大きさにも限界があり、通気性の確保が難しいという不具合がある。
【０００６】
本願発明は、上記の点に鑑みてなされたもので、患者の身体との接触面積を可及的に低減するとともに、通気性を確保することにより、長期間の使用においても床ずれが生じないようにすることを目的としている。
【０００７】
【課題を解決するための手段】
本願発明では、上記課題を解決するための第１の手段として、マットレス本体の表裏両面に、長手方向に連続して並ぶ断面円弧形状の多数の小突条を形成するとともに、該表面側小突条と裏面側小突条とにおける円弧面の曲率半径を異ならしめている。
【０００８】
上記のように構成したことにより、使用中において患者の身体は断面円弧形状の多数の小突条と接触することとなるため、接触面積が大幅に低減することとなるし、患者の身体とマットレス表面との間に大きな空気層が形成されることとなるため、通気性を確保することもできる。従って、長期間の使用においても床ずれを確実に防止することができる。また、表面側小突条と裏面側小突条とにおける円弧面の曲率半径を異ならしめているため、曲率半径が小さい方の小突条を形成している側を上向きとして使用すれば、夏季のように大きな通気性を必要とする場合に好適となり、曲率半径が大きい方の小突条を形成している側を上向きとして使用すれば、冬季のようにあまり通気性を必要としない場合に好適となる。
【０００９】
本願発明では、さらに、上記課題を解決するための第２の手段として、上記第１の手段を備えた患者用マットレスにおいて、前記表面側小突条と裏面側小突条とにおける円弧面の曲率中心を長手方向にずらすこともでき、そのように構成した場合、互いの小突条が対向することなく反対側には凹部が位置することとなるため、多数の小突条を形成しているにもかかわらず良好なクッション性を確保することができる。
【００１０】
【発明の実施の形態】
以下、添付の図面を参照して、本願発明の好適な実施の形態について説明する。
【００１１】
この患者用マットレスは、主として病院等において病人、老人等の介護用のベッドマットもしくは敷布団として使用されるものであり、例えば、ポリエステルやレーヨン等の繊維からなる短繊維（７０％）と１２０℃〜２５０℃の範囲で溶融する低融点ポリエステルからなる短繊維（３０％）とを積層してホットプレスすることにより製造される。このマットレス本体１の密度は、１．５〜４．５ｋｇ／ｍ２とされるのが望ましい。
【００１２】
前記マットレス本体１の表裏両面には、図１に示すように、長手方向に連続して並ぶ断面円弧形状の多数の小突条２，２・・および３，３・・がそれぞれ一体に形成されている。符号４，５は小突条２，２・・および３，３・・間に形成される凹部、６はマットレス表地である。
【００１３】
そして、図２に示すように、前記各表面側小突条２における円弧面２ａの曲率半径Ｒ１は、各裏面側小突条３における円弧面３ａの曲率半径Ｒ２より小さくされている。従って、表面側小突条２，２・・の間には大きな空気層が形成され、裏面側小突条３，３・・の間には小さな空気層が形成されることとなる。また、前記各表面側小突条２における円弧面２ａの曲率中心Ｏ１と各裏面側小突条３における円弧面３ａの曲率中心Ｏ２とは長手方向に所定距離（例えば、小突条２，３の幅寸法の半分だけ）ずらされている。
【００１４】
この患者用マットレスは、次のようにして製造される。
【００１５】
図５に示すように、例えば２００℃程度の高温炉７と冷却炉８との間に前記高温炉７から冷却炉８へと搬送されるマットレス本体１の上下に位置し外周に複数（本実施の形態においては、６枚）の羽根９ａ，９ａ・・および１０ａ，１０ａ・・を周方向等間隔にそれぞれ設けてなる一対の回転ロール９，１０を配設して構成された製造装置を用いて製造される。前記回転ロール９，１０の回転中心Ｃ１，Ｃ２は、マットレス本体１の搬送方向に所定寸法だけずらされており、前記各羽根９ａの高さＨ１は各羽根１０ａの高さＨ２より高くされている。なお、前記回転ロール９，１０および各羽根９ａ，１０ａの幅方向寸法は、マットレス本体１の幅方向寸法より長く設定されており、回転ロール９，１０は、互いに反対方向（即ち、矢印Ｍ方向および矢印Ｎ方向）に回転されることとなっている。
【００１６】
そして、高温炉７を通る過程で高温に加熱されたマットレス本体１の表裏両面には、回転ロール９，１０の回転に伴って長手方向に連続して並ぶ断面円弧形状の多数の小突条２，２・・および３，３・・がそれぞれ一体に形成される。この時、回転ロール９の羽根９ａ，９ａ・・によっては曲率半径Ｒ１の円弧面２ａ，２ａ・・をそれぞれ有する多数の小突条２，２・・が形成される一方、回転ロール１０の羽根１０ａ，１０ａ・・によっては曲率半径Ｒ２の円弧面３ａ，３ａ・・を有する多数の小突条３，３・・が形成される。ここで、Ｒ１＜Ｒ２とされる。また、各表面側小突条２における円弧面２ａの曲率中心Ｏ１と各裏面側小突条３における円弧面３ａの曲率中心Ｏ２とは長手方向に所定距離（例えば、小突条２，３の幅寸法の半分だけ）ずらされることとなる。
【００１７】
上記のように構成された患者用マットレスにおいては、次のような作用効果が得られる。
【００１８】
図３あるいは図４に示すように、使用中において患者の身体Ａは断面円弧形状の多数の小突条２，２・・あるいは３，３・・と接触することとなるため、接触面積が大幅に低減することとなるし、患者の身体Ａとマットレス表面との間に大きな空気層が形成されることとなるため、通気性を確保することもできる。従って、長期間の使用においても床ずれを確実に防止することができる。
【００１９】
また、表面側小突条２，２・・における円弧面２ａ，２ａ・・の曲率半径Ｒ１は、裏面側小突条３，３・・における円弧面３ａ，３ａ・・の曲率半径Ｒ２より小さくされているため、図３に示すように、曲率半径が小さい方の表面側小突条２，２・・を形成している側を上向きとして使用すれば、夏季のように大きな通気性を必要とする場合に好適となるし、図４に示すように、曲率半径が大きい方の裏面側小突条３，３・・を形成している側を上向きとして使用すれば、冬季のようにあまり通気性を必要としない場合に好適となる。
【００２０】
さらに、表面側小突条２，２・・と裏面側小突条３，３・・とが対向することなく反対側には凹部４，４・・および５，５・・が位置することとなるため、多数の小突条２，２・・および３，３・・を形成しているにもかかわらず良好なクッション性を確保することができる。
【００２１】
上記実施の形態においては、マットレス本体１と小突条２，２・・および３，３・・とは一体とされているが、別体構成の小突条２，２・・および３，３・・をマットレス本体１の表裏両面に貼設する場合もある。
【００２２】
【発明の効果】
本願発明の第１の手段によれば、マットレス本体の表裏両面に、長手方向に連続して並ぶ断面円弧形状の多数の小突条を形成しているので、使用中において患者の身体は断面円弧形状の多数の小突条と接触することとなるため、接触面積が大幅に低減することとなるし、患者の身体とマットレス表面との間に大きな空気層が形成されることとなるため、通気性を確保することもできることとなり、長期間の使用においても床ずれを確実に防止することができるという効果がある。また、表面側小突条と裏面側小突条とにおける円弧面の曲率半径を異ならしめているため、曲率半径が小さい方の小突条を形成している側を上向きとして使用すれば、夏季のように大きな通気性を必要とする場合に好適となり、曲率半径が大きい方の小突条を形成している側を上向きとして使用すれば、冬季のようにあまり通気性を必要としない場合に好適となるという効果もある。
【００２３】
本願発明の第２の手段におけるように、上記第１の手段を備えた患者用マットレスにおいて、前記表面側小突条と裏面側小突条とにおける円弧面の曲率中心を長手方向にずらすこともでき、そのように構成した場合、互いの小突条が対向することなく反対側には凹部が位置することとなるため、多数の小突条を形成しているにもかかわらず良好なクッション性を確保することができる。
【図面の簡単な説明】
【図１】本願発明の実施の形態にかかる患者用マットレスの一部を切除した斜視図である。
【図２】本願発明の実施の形態にかかる患者用マットレスの要部拡大断面図である。
【図３】本願発明の実施の形態にかかる患者用マットレスの夏季使用状態を示す拡大断面図である。
【図４】本願発明の実施の形態にかかる患者用マットレスの冬季使用状態を示す拡大断面図である。
【図５】本願発明の実施の形態にかかる患者用マットレスを製造するための装置の概略を示す概略構成図である。
【符号の説明】
１はマットレス本体、２，３は小突条、２ａ，３ａは円弧面、４，５は凹部、Ｒ１，Ｒ２は曲率半径、Ｏ１，Ｏ２は曲率中心。
【図１】
2005021368.tif 000003
【図２】
2005021368.tif 000004
【図３】
2005021368.tif 000005
【図４】
2005021368.tif 000006
【図５】
2005021368.tif 000007